【事件の表示】
　特願２００５−３４０８９６「有機発光表示装置及びその駆動方法」拒絶査定不服審判事件〔平成１８年１１月　９日出願公開、特開２００６−３０９１３４〕について、次のとおり審決する。
【結　論】
　本件審判の請求は、成り立たない。
【理　由】
１　手続の経緯
　本願は、平成１７年１１月２５日の出願（パリ条約による優先権主張　２００５年４月２８日、大韓民国）であって、平成２１年１０月２９日付け（送達：同年１１月４日）で拒絶査定がなされ、これに対し、平成２２年３月２日に拒絶査定不服審判が請求されると同時に明細書の特許請求の範囲についての補正がなされたものである。
　その後、当審より平成２３年１２月１３日付け（発送：同年同月２０日）で拒絶理由（以下、「当審拒絶理由」という。）を通知したところ、平成２４年３月１９日付けで特許請求の範囲についての補正（以下、「本件補正」という。）がなされるとともに、同日付で意見書の提出があった。
　
　
２　当審拒絶理由
　当審拒絶理由は、本願の特許請求の範囲に記載の各請求項に係る発明は、本願の優先日前に頒布された刊行物である特開２００５−５５７２６号公報（発明の名称：「ＥＬ表示装置」、出願人：東芝松下ディスプレイテクノロジー株式会社、公開日：平成１７年３月３日。以下、「引用刊行物」という。）に記載された発明及び周知技術に基づいて、当業者が容易に発明ををすることができたものであるから、特許法第２９条第２号の規定により特許を受けることがきない、というものである。
　
　
３　本願発明
　本願の請求項１〜８に係る発明は、明細書及び図面の記載からみて、本件補正によって補正された特許請求の範囲の請求項１〜８に記載された事項により特定されるとおりのものと認められるところ、その請求項１に係る発明は、次のとおりである。
　
「データ線に映像データに対応するデータ信号を供給するデータ駆動部と；
　走査線に走査信号を順次供給し，発光制御線に発光制御信号を順次供給する走査駆動部と；
　前記データ信号，前記走査信号及び前記発光制御信号の供給を受けて映像を表現する複数の画素を具備する画素部と；
　前記画素部の輝度を制御する輝度制御部と；
を備え，
　前記輝度制御部は，
　一フレーム分の前記映像データに対応する前記発光制御信号の幅情報を持つ少なくとも一つの第１データが保存される第１ルックアップテーブルと；
　前記発光制御信号の幅情報が外部入力モードによって変更されるようにする少なくとも一つの第２データが保存される第２ルックアップテーブルと；
を有し，
　前記輝度制御部は，
　前記一フレーム分の映像データを合算して合算データを生成し，前記合算データの最上位ビットを含む少なくとも二つのビット値を制御データとして生成するデータ合算部と；
　前記第２ルックアップテーブルから前記外部入力モードに対応する前記第２データを抽出するモード選択部と；
　前記第１ルックアップテーブルから前記制御データの値に対応する前記第１データを抽出し，前記抽出された第１データ及び第２データを利用して前記発光制御信号の幅情報を持つ第３データを生成する制御部と；
　前記第３データに対応する輝度制御信号を生成して前記走査駆動部に伝送する輝度制御信号生成部と；
をさらに有し，
　前記走査駆動部は，前記輝度制御信号に対応して前記発光制御信号の幅を制御し，
　前記第２データは，前記外部入力モードに対応する前記発光制御信号の幅情報の変動値を持ち，
　前記制御部は，前記第１データから前記第２データを減算して前記第３データを生成することを特徴とする，有機発光表示装置。」（以下、「本願発明」という。）
　
　
４　引用刊行物に記載の事項、引用発明
４−１　引用刊行物に記載の事項
　当審拒絶理由で引用された引用刊行物である特開２００５−５５７２６号公報には、図面とともに以下の事項が記載されている。
　
（１）「【技術分野】
【０００１】
本発明は、有機または無機エレクトロルミネッセンス（ＥＬ）素子を用いたＥＬ表示パネルなどの自発光表示パネルに関するものである。また、これらの表示パネルなどの駆動回路（ＩＣ）に関するものである。ＥＬ表示パネルなどの駆動方法と駆動回路およびそれらを用いた情報表示装置などに関するものである。
【背景技術】
【０００２】
一般に、アクティブマトリクス型表示装置では、多数の画素をマトリクス状に並べ、与えられた映像信号に応じて画素毎に光強度を制御することによって画像を表示する。たとえば、電気光学物質として液晶を用いた場合は、各画素に書き込まれる電圧に応じて画素の透過率が変化する。電気光学変換物質として有機エレクトロルミネッセンス（ＥＬ）材料を用いたアクティブマトリクス型の画像表示装置は画素に書き込まれる電流に応じて発光輝度が変化する。」
　
（２）「【００４８】
本発明のＥＬ表示装置の画素構造は、具体的には図１に示すように単位画素が最低４つからなる複数のトランジスタ１１ならびにＥＬ素子により形成される。画素電極はソース信号線と重なるように構成する。つまり、ソース信号線１８上に絶縁膜あるいはアクリル材料からなる平坦化膜を形成して絶縁し、この絶縁膜上に画素電極１０５を形成する。このようにソース信号線１８上の少なくとも１部に画素電極を重ねる構成をハイアパーチャ（ＨＡ）構造と呼ぶ。不要な干渉光などが低減し、良好な発光状態が期待できる。
【００４９】
ゲート信号線（第１の走査線）１７ａをアクティブ（ＯＮ電圧を印加）とすることによりＥＬ素子１５の駆動用のトランジスタ１１ａおよびスイッチ用トランジスタ１１ｃを通して、前記ＥＬ素子１５に流すべき電流値をソースドライバ回路１４から流す。また、トランジスタ１１ａのゲートとドレイン間を短絡するようにトランジスタ１１ｂがゲート信号線１７ａアクティブ（ＯＮ電圧を印加）となることにより開くと共に、トランジスタ１１ａのゲートとソース間に接続されたコンデンサ（キャパシタ、蓄積容量、付加容量）１９にトランジスタ１１ａのゲート電圧（あるいはドレイン電圧）を記憶する（図３（ａ）を参照のこと）。
【００５０】
なお、コンデンサ（蓄積容量）１９の大きさは、０．２ｐＦ以上２ｐＦ以下とすることがよく、中でもコンデンサ（蓄積容量）１９の大きさは、０．４ｐＦ以上１．２ｐＦ以下とすることがよい。画素サイズを考慮してコンデンサ１９の容量を決定する。１画素に必要な容量をＣｓ（ｐＦ）とし、１画素が占める面積（開口率ではない）をＳｐ（平方μｍ）とすれば、５００／Ｓ≦Ｃｓ≦２００００／Ｓとし、さらに好ましくは、１０００／Ｓｐ≦Ｃｓ≦１００００／Ｓｐとなるようにする。なお、トランジスタのゲート容量は小さいので、ここでいうＱとは、蓄積容量（コンデンサ）１９単独の容量である。
【００５１】
ゲート信号線１７ａを非アクティブ（ＯＦＦ電圧を印加）、ゲート信号線１７ｂをアクティブとして、電流の流れる経路を前記第１のトランジスタ１１ａ並びにＥＬ素子１５に接続されたトランジスタ１１ｄならびに前記ＥＬ素子１５を含む経路に切り替えて、記憶した電流を前記ＥＬ素子１５に流すように動作する（図３（ｂ）を参照のこと）。」
　
（３）「【００５５】
以下、さらに本発明の理解を容易にするために、本発明のＥＬ素子構成について図３を用いて説明する。本発明のＥＬ素子構成は２つのタイミングにより制御される。第１のタイミングは必要な電流値を記憶させるタイミングである。このタイミングでトランジスタ１１ｂならびにトランジスタ１１ｃがＯＮすることにより、等価回路として図３（ａ）となる。ここで、信号線より所定の電流Ｉｗが書き込まれる。これによりトランジスタ１１ａはゲートとドレインが接続された状態となり、このトランジスタ１１ａとトランジスタ１１ｃを通じて電流Ｉｗが流れる。したがって、トランジスタ１１ａのゲート−ソースの電圧はＩ１が流れるような電圧となる。
【００５６】
第２のタイミングはトランジスタ１１ａとトランジスタ１１ｃが閉じ、トランジスタ１１ｄが開くタイミングであり、そのときの等価回路は図３（ｂ）となる。トランジスタ１１ａのソース−ゲート間の電圧は保持されたままとなる。この場合、トランジスタ１１ａは常に飽和領域で動作するため、Ｉｗの電流は一定となる。
【００５７】
このように動作させると、図５に図示するようになる。つまり、図５（ａ）の５１ａは表示画面５０における、ある時刻での電流プログラムされている画素（行）（書き込み画素行）を示している。この画素（行）５１ａは、図５（ｂ）に図示するように非点灯（非表示画素（行））とする。他の画素（行）は表示画素（行）５３とする（表示領域５３の画素１６のＥＬ素子１５には電流が流れ、ＥＬ素子１５が発光している）。
【００５８】
図１の画素構成の場合、図３（ａ）に示すように、電流プログラム時は、プログラム電流Ｉｗがソース信号線１８に流れる。この電流Ｉｗがトランジスタ１１ａを流れ、Ｉｗを流す電流が保持されるように、コンデンサ１９に電圧設定（プログラム）される。このとき、トランジスタ１１ｄはオープン状態（オフ状態）である。
【００５９】
次に、ＥＬ素子１５に電流を流す期間は図３（ｂ）のように、トランジスタ１１ｃ、１１ｂがオフし、トランジスタ１１ｄが動作する。つまり、ゲート信号線１７ａにオフ電圧（Ｖｇｈ）が印加され、トランジスタ１１ｂ、１１ｃがオフする。一方、ゲート信号線１７ｂにオン電圧（Ｖｇｌ）が印加され、トランジスタ１１ｄがオンする。」
　
（４）「【１１５７】
図７８はＤｕｔｙ比制御方法である。図７８（ａ）は非表示領域５２を連続して挿入する方法である。動画表示に適する。また、図７８（ａ１）が最も画像が暗く、図７８（ａ４）が最も明るい。ゲート信号線１７ｂの制御で自由にＤｕｔｙ比を変更できる。図７８（ｃ）は非表示領域５２を多数に分割して挿入する方法である。特に静止画表示に適する。また、図７８（ｃ１）が最も画像が暗く、図７８（ｃ４）が最も明るい。ゲート信号線１７ｂの制御で自由にＤｕｔｙ比を変更できる。また、図７８（ｂ）は、図７８（ａ）と図７８（ｃ）との中間状態である。図７８（ｂ）も同様にゲート信号線１７ｂの制御で自由にＤｕｔｙ比を変更できる。
【１１５８】
表示領域５３の分散は、表示パネルの画素行数が２２０本で、１／４Ｄｕｔｙであれば、２２０／４＝５５となるから、１から５５（１の明るさからその５５倍の明るさまで調整できる）。また、表示パネルの画素行が２２０本で、１／２Ｄｕｔｙであれば、２２０／２＝１１０となるから、１から１１０（１の明るさからその１１０倍の明るさまで調整できる）。したがって、画面輝度５０の明るさの調整レンジは非常に広い（画像表示のダイナミックレンジが広い）。また、いずれに明るさであっても、表現できる階調数を維持できると特徴がある。たとえば、６４階調表示であれば、白ラスターでの画面５０輝度が３００ｎｔであっても、３ｎｔであっても６４階調表示を実現できる。
【１１５９】
なお、以前にも説明したが、Ｄｕｔｙは、ゲートドライバ１２ｂへのスタートパルスを制御することにより容易に変更できる。したがって、１／２Ｄｕｔｙ、１／４Ｄｕｔｙ、３／４Ｄｕｔｙ、３／８Ｄｕｔｙと多種多様なＤｕｔｙを容易に変更できる。
【１１６０】
１水平走査期間（１Ｈ）単位のＤｕｔｙ比駆動は、水平同期信号に同期させてゲート信号線１７ｂのオンオフ信号を印加すればよい。さらに、１Ｈ単位以下でもＤｕｔｙ比制御することができる。図１４５、図１４６の駆動方法である。１Ｈ期間以内において、ＯＥＶ２制御を行うことにより、微小ステップの明るさ制御（Ｄｕｔｙ比制御）が可能である（図１０９とその説明も参照のこと。また、図１７５とその説明を参照のこと）。」
　
（５）「【１１６９】
本発明のＤｕｔｙ比制御駆動によれば、図７９に図示するように、ＥＬ表示パネルの階調表現数が６４階調であれば、表示画面５０の表示輝度（ｎｔ）がいずれの輝度であっても、６４階調表示が維持される。たとえば、画素行数が２２０本で、１画素行のみが表示領域５３（表示状態）の時（Ｄｕｔｙ比１／２２０）であっても、６４階調表示を実現できる。各画素行がソースドライバ回路１４のプログラム電流Ｉｗにより順次画像が書き込まれ、ゲート信号線１７ｂにより、この１画素行分が順次画像表示されるからである。」
　
（６）「【１１７６】
以上のように白ラスターで消費電力割合は８０であり、１／１００が点灯している自然画像の消費電力割合は、１になる。したがって、白ラスター表示での所定輝度を設定し、この時をＤｕｔｙ比最小になるように設定すれば、最大電流を抑制することができる。
【１１７７】
本発明は、１画面のプログラム電流の総和をＳとし、Ｄｕｔｙ比をＤとし、Ｓ×Ｄで駆動制御を実施するものである。また、白ラスター表示でのプログラム電流の総和をＳｗとし、最大のＤｕｔｙ比をＤｍａｘ（通常は、Ｄｕｔｙ比１／１が最大である）とし、最小のＤｕｔｙ比をＤｍｉｎとし、また、任意の自然画像でのプログラム電流の総和をＳｓとした時、Ｓｗ×Ｄｍｉｎ＞＝Ｓｓ×Ｄｍａｘの関係が維持されるようにする駆動方法およびそれを実現する表示装置である。
【１１７８】
なお、Ｄｕｔｙ比の最大は１／１とする。最小はＤｕｔｙ比１／１６以上にすることが好ましい。つまり、Ｄｕｔｙ比は１／８以上１／１以下にする。なお、１／１を必ず使用することには制約されないことは言うまでもない。好ましくは、最小のＤｕｔｙ比は１／１０以上にする。Ｄｕｔｙ比が小さすぎると、フリッカの発生が目立ちやすく、また、画像内容による画面の輝度変化が大きくなりすぎ、画像が見づらくなるからである。
【１１７９】
先にも説明したがプログラム電流は映像データと比例の関係にある。したがって、プログラム電流の総和とはプログラム電流の総和と同義である。なお、１フレーム（１フィールド）期間のプログラム電流の総和を求めるとしたが、これに限定するものではない、１フレーム（１フィールド）において、所定間隔あるいは、所定周期などでプログラム電流を加算する画素をサンプリングしてプログラム電流（映像データ）の総和としてもよい。また、制御を行うフレーム（フィールド）の前後の総和データを用いてもよいし、推定あるいは予測による総和データをもちいて、Ｄｕｔｙ比制御を行っても良い。
【１１８０】
なお、以上の説明ではＤｕｔｙ比Ｄで制御するとして説明したが、Ｄｕｔｙ比は、所定期間（通常は１フィールドまたは１フレームである。つまり、一般的には任意の画素の画像データが書き換えられる周期もしくは時間である）におけるＥＬ素子１５の点灯期間である。つまり、Ｄｕｔｙ比１／８とは、１フレームの１／８の期間（１Ｆ／８）の間、ＥＬ素子１５が点灯していることを意味する。したがって、Ｄｕｔｙ比は、画素１６が書き変えられる周期時間をＴｆとし、画素の点灯期間Ｔａとした時、Ｄｕｔｙ比＝Ｔａ／Ｔｆと読み替えることができる。」
　
（７）「【１２１２】
本発明では画像データの総和あるいは画面の消費電流量を予測できる値を求め、この総和あるいは値により、Ｄｕｔｙ比制御あるいは基準電流制御を行う。」
　
（８）「【１２２４】
理解を容易にするため、具体的に数値を例示して説明する。ただし、これは仮想的であり、実際には実験、画像評価により制御データ、制御方法を決定する必要がある。
【１２２５】
ＥＬパネルで最大に流せる電流を１００（ｍＡ）とする。白ラスター表示ととき、総和（ＡＰＬレベル）は２００（単位なし）になるとする。このＡＰＬレベルが２００の時、そのままパネルに印加するとＥＬパネルに２００（ｍＡ）が流れるとする。なお、ＡＰＬレベルが０の時、ＥＬパネルに流れる電流は０（ｍＡ）である。また、ＡＰＬレベルが１００の時、Ｄｕｔｙ比は１／２で駆動するものとする。
【１２２６】
したがって、ＡＰＬが１００以上の場合は、制限である１００（ｍＡ）以下となるようにする必要がある。最も簡単には、ＡＰＬレベルが２００の時、Ｄｕｔｙを（１／２）×（１／２）＝１／４にし、ＡＰＬレベルが１００の時、Ｄｕｔｙを１／２とする。ＡＰＬレベルが１００以上２００以下の時は、Ｄｕｔｙが１／４〜１／２の間をとるように制御する。Ｄｕｔｙ比１／４〜１／２は、ＥＬ選択側のゲートドライバ１２ｂが、同時に選択するゲート信号線１７ｂの本数を制御することにより実現できる。」
　
（９）「【１２３２】
図８３は本発明の駆動回路のブロック図である。以下、本発明の駆動回路について説明をする。図８３では、外部からＹ／ＵＶ映像信号と、コンポジット（ＣＯＭＰ）映像信号が入力できるように構成されている。どちらに映像信号を入力するかは、スイッチ回路８３１により選択される。
【１２３３】
スイッチ回路８３１で選択された映像信号は、デコーダおよびＡ／Ｄ回路によりデコードおよびＡＤ変換され、デジタルのＲＧＢ画像データに変換される。ＲＧＢ画像データは各８ビットである。また、ＲＧＢ画像データはガンマ回路８３４でガンマ処理される。同時に輝度（Ｙ）信号が求められる。ガンマ処理により、ＲＧＢ画像データは各１０ビットの画像データに変換される。
【１２３４】
ガンマ処理後、画像データはＦＲＣ処理または誤差拡散処理が処理回路８３５で行われる。ＦＲＣ処理または誤差拡散処理によりＲＧＢ画像データは６ビットに変換される。この画像データはＡＩ処理回路８３６でＡＩ処理あるいはピーク電流処理が実施される。また、動画検出回路８３７で動画検出が行われる。同時に、カラーマネージメント回路８３８でカラーマネージメント処理が行われる。
【１２３５】
ＡＩ処理回路８３６、動画検出回路８３７、カラーマネージメント回路８３８の処理結果は演算回路８３９に送られ、演算処理回路８３９で制御演算、Ｄｕｔｙ比制御、基準電流制御データに変換され、変換された結果が、ソースドライバ回路１４およびゲートドライバ回路１２に制御データとして送出される。
【１２３６】
Ｄｕｔｙ比制御データはゲートドライバ回路１２ｂに送られ、Ｄｕｔｙ比制御が実施される。一方、基準電流制御データはソースドライバ回路１４に送られ、基準電流制御が実施される。ガンマ補正され、ＦＲＣまたは誤差拡散処理された画像データもソースドライバ回路１４に送られる。」
　
（１０）「【１２４７】
Ｄｕｔｙ比制御は、全階調範囲で階調数が保持され、また、全階調範囲でホワイトバランスが維持される。また、Ｄｕｔｙ比制御により画面５０の輝度変化は１０倍近く変化させることができる。また、変化はＤｕｔｙ比に線形の関係になるから制御も容易である。しかし、Ｄｕｔｙ比制御は、Ｎ倍パルス駆動であるから、ＥＬ素子１５に流れる電流の大きさが大きく、また、画面５０の輝度にかかわらず、常時ＥＬ素子に流れる電流の大きさが大きくなり、ＥＬ素子１５が劣化しやすいという課題がある。」
　
（１１）「【１２９１】
データ和／（データ和の）最大値＝１／１００とは、一例として１／１００の白ウインドウ表示である。自然画像では、画像表示する画素のデータ和が、白ラスター表示の１／１００に換算できる状態を意味する。したがって、１００画素あたりに１点の白輝点表示もデータ和／最大値が１／１００である。
【１２９２】
以下の説明では最大値とは白ラスターの画像データの加算値としたが、これは説明を容易にするためである。最大値は画像データの加算処理あるいはＡＰＬ処理などで発生する最大値である。したがって、データ和／最大値とは、処理を行う画面の画像データの最大値に対する割合である。
【１２９３】
ただし、データ和とは、１画面のデータを正確に加算することを必要としない。１画面をサンプリングした画素のデータの加算値から１画面の加算値を推定（予測）したものでもよい。また、最大値も同様である。また、複数フィールドあるいは複数フレームからの予測値あるいは推定値でもよい。また、画像データの加算だけでなく、映像データをローパスフィルタ回路によりＡＰＬレベルを求めて、このＡＰＬレベルをデータ和としてもよい。この時の最大値は、最大振幅の映像データが入力された時のＡＰＬレベルの最大値である。
【１２９４】
なお、データ和は表示パネルの消費電流で算定するか、輝度で算定するかはどちらでもよい。ここでは説明を容易にするため、輝度（画像データ）の加算であるとして説明をする。一般的に輝度（画像データ）の加算の方式が処理は容易である。
【１２９５】
図１９７は横軸をデータ和／最大値としている。最大値は１である。縦軸はＤＵＴＹ比である。データ和＝最大値（データ和／最大値＝１）は、全画素行が最大の白表示状態である。データ和／最大値が小さい時は、暗い画面あるいは画像表示領域が少ない画面である。この時は、ＤＵＴＹ比を大きくしている。したがって、画像を表示している画素の輝度は高い。そのため、画像のダイナミックレンジが拡大されて高画質表示される。データ和／最大値が大きい時（最大値は１）は、明るい画面あるいは画像表示領域が広い画面である。この時は、ＤＵＴＹ比を小さくしている。したがって、画像を表示している画素の輝度は低い。そのため、低消費電力化が可能である。画面から放射される光量は大きいため、画像が暗く感じることはない。
【１２９６】
図１９７では、データ和／最大値が１．０の時に、到達するＤＵＴＹ比値を変化させている。たとえば、ＤＵＴＹ比＝１／２は画面の１／２が画像表示状態になる。したがって、画像は明るい。ＤＵＴＹ比＝１／８は画面の１／８が画像表示状態になる。したがって、ＤＵＴＹ比＝１／２に比較して１／４の明るさである。」
　
（１２）「【１３０１】
データ和／最大値とＤＵＴＹ比の関係は、画像データの内容、画像表示状態、外部環境に合わせて設定することが好ましい。また、ユーザーが自由に設定あるいは調整できるように構成することが好ましい。
【１３０２】
以上の切り替え動作は、携帯電話、モニターなどの電源をオンしたときに、表示画面を非常に明るく表示し、一定の時間を経過した後は、電力セーブするために、表示輝度を低下させる構成に用いる。また、ユーザーが希望する明るさに設定する機能としても用いることができる。たとえば、屋外などでは、画面を非常に明るくする。屋外では周辺が明るく、画面が全く見えなくなるからである。つまり、屋外では、図１９７のａのカーブを選択する。しかし、高い輝度で表示し続けるとＥＬ素子は急激に劣化する。そのため、非常に明るくする場合は、短時間で通常の輝度に復帰させるように構成しておく。たとえば、通常では、ｃのカーブを選択する。また、さらに、高輝度で表示させる場合は、ユーザーがボタンと押すことにより表示輝度を高くできるようの構成しておく。
【１３０３】
したがって、ユーザーがボタンで切り替えできるようにしておくか、設定モードで自動的に変更できるか、外光の明るさを検出して自動的に切り替えできるように構成しておくことが好ましい。また、表示輝度を５０％、６０％、８０％とユーザーなどが設定できるように構成しておくことが好ましい。また、外部のマイコンなどにより、Ｄｕｔｙ比カーブ、傾きなどを書き換えるように構成することが好ましい。また、メモリされた複数のＤｕｔｙカーブから１つを選択できるように構成することが好ましい。
【１３０４】
なお、ＤＵＴＹ比カーブなどの選択は、ＡＰＬレベル、最大輝度（ＭＡＸ）、最小輝度（ＭＩＮ）、輝度の分布状態（ＳＧＭ）を加味して行うことが好ましいことは言うまでもない。
【１３０５】
以上のように、たとえば、ａは屋外用のカーブである。ｃは屋内用のカーブである。ｂは屋内と屋外との中間状態用のカーブである。カーブａ、ｂ、ｃとの切り替えは、ユーザーがスイッチを操作することにより切り替えるようにする。また、外光の明るさをホトセンサで検出し、自動的に切り替えるようにしてもよい。なお、ガンマカーブを切り替えるとしたが、これに限定するものではない。計算によりガンマカーブを発生させてもよいことは言うまでもない。」
　
（１３）「【１３１０】
データ和／最大値が０．９以上では１／５である。したがって、表示輝度は最大値の１／５になっている。データ和／最大値＝１は白ラスター表示である。つまり、白ラスター表示では表示輝度が最大の１／５に低下している。
【１３１１】
データ和／最大値が０．１以下では、ＤＵＴＹ比は１／１である。画面の１／１０が表示領域である。ＥＬ素子の発光輝度がそのまま画素の表示輝度となる。画像表示はほとんどが黒表示であり、一部に画像が表示されている状態である。イメージで表現すれば、データ和／最大値が０．１以下の画像表示とは、真っ暗な夜空に月がでている画像である。この画像でＤＵＴＹ比を１／１にするということは、月の部分は、白ラスターの輝度の５倍の輝度で表示されることになる。したがって、ダイナミックレンジの広い画像表示を実現できる。画像表示されているのは１／１０の領域であるから、１／１０の領域の輝度を５倍にしたとしても消費電力の増加はわずかである。」
　
４−２　引用刊行物の記載事項の検討
　上記記載事項に基づき、特に、段落【１２９１】〜【１３０５】及び図１９７に記載された実施態様を中心に、その前提となる部分や他の実施態様との共通部分については、その他の箇所の記載事項も参照しながら、引用発明を認定する。
　
ア．引用刊行物における、「ゲート信号線（第１の走査線）１７ａをアクティブ（ＯＮ電圧を印加）とすることによりＥＬ素子１５の駆動用のトランジスタ１１ａおよびスイッチ用トランジスタ１１ｃを通して、前記ＥＬ素子１５に流すべき電流値をソースドライバ回路１４から流す。」（【００４９】）、「各画素行がソースドライバ回路１４のプログラム電流Ｉｗにより順次画像が書き込まれ、」（【１１６９】）、及び「ガンマ補正され、ＦＲＣまたは誤差拡散処理された画像データもソースドライバ回路１４に送られる。」（【１２３６】）という記載において、「ＥＬ素子１５に流すべき電流値」（【００４９】）と「プログラム電流Ｉｗ」（【１１６９】）はどちらもソースドライバ回路から流される電流であり同じ電流値の電流であることは自明な事項である。
　そして、「プログラム電流Ｉｗにより順次画像が書き込まれ」るのであり、該書き込まれる「画像」はソースドライバ回路に送られる「画像データ」に基づくものであることも明らかであるから、「ＥＬ素子１５に流すべき電流値」は「画像データ」に対応する電流値である。
　また、図１より、前記ソースドライバ回路から流される電流がソース信号線１８に流されることが読み取れる。
　したがって、引用刊行物には、「ソース信号線１８に、ＥＬ素子１５に流すべき、画像データに対応する電流値を流すソースドライバ回路１４」が記載されている。
　
イ．引用刊行物における、「ゲート信号線（第１の走査線）１７ａをアクティブ（ＯＮ電圧を印加）とすることによりＥＬ素子１５の駆動用のトランジスタ１１ａおよびスイッチ用トランジスタ１１ｃを通して、前記ＥＬ素子１５に流すべき電流値をソースドライバ回路１４から流す。」（【００４９】）及び「ゲート信号線１７ａを非アクティブ（ＯＦＦ電圧を印加）、ゲート信号線１７ｂをアクティブとして、電流の流れる経路を前記第１のトランジスタ１１ａ並びにＥＬ素子１５に接続されたトランジスタ１１ｄならびに前記ＥＬ素子１５を含む経路に切り替えて、記憶した電流を前記ＥＬ素子１５に流す」（【００５１】）という記載より、引用刊行物には、第１の走査線であるゲート信号線１７ａに、ＯＮ電圧及びＯＦＦ電圧を印加することが記載されている。
　また、引用刊行物における、「ゲート信号線１７ａを非アクティブ（ＯＦＦ電圧を印加）、ゲート信号線１７ｂをアクティブとして、電流の流れる経路を前記第１のトランジスタ１１ａ並びにＥＬ素子１５に接続されたトランジスタ１１ｄならびに前記ＥＬ素子１５を含む経路に切り替えて、記憶した電流を前記ＥＬ素子１５に流す」（【００５１】）、「ゲート信号線１７ｂの制御で自由にＤｕｔｙ比を変更できる。」（【１１５７】）、「１水平走査期間（１Ｈ）単位のＤｕｔｙ比駆動は、水平同期信号に同期させてゲート信号線１７ｂのオンオフ信号を印加すればよい。さらに、１Ｈ単位以下でもＤｕｔｙ比制御することができる。」（【１１６０】）、及び「Ｄｕｔｙ比は、所定期間（通常は１フィールドまたは１フレームである。つまり、一般的には任意の画素の画像データが書き換えられる周期もしくは時間である）におけるＥＬ素子１５の点灯期間である。」（【１１８０】）という記載より、引用刊行物には、ゲート信号線１７ｂに印加されるオンオフ信号によって、所定期間におけるＥＬ素子１５の点灯期間であるＤｕｔｙ比を制御することが記載されている。
　そして、引用刊行物における、「Ｄｕｔｙ比１／４〜１／２は、ＥＬ選択側のゲートドライバ１２ｂが、同時に選択するゲート信号線１７ｂの本数を制御することにより実現できる。」（【１２２６】）という記載並びに図１及び図８３より、ゲート信号線１７ａ及び１７ｂは、ゲートドライバ回路１２ａ及び１２ｂよりなるゲートドライバ回路１２によって駆動されていることが読み取れる。
　また、走査線に順次信号が印加されることは有機発光表示素子の技術分野における技術常識である。
　してみると、引用刊行物には、「第１の走査線であるゲート信号線１７ａにＯＮ電圧及びＯＦＦ電圧を順次印加するとともに、所定期間におけるＥＬ素子１５の点灯期間であるＤｕｔｙ比を制御するオンオフ信号を、ゲート信号線１７ｂに順次印加するゲートドライバ回路１２」が記載されている。
　
ウ．引用刊行物における、「ＥＬ表示装置の画素構造は、具体的には図１に示すように単位画素が最低４つからなる複数のトランジスタ１１ならびにＥＬ素子により形成される。」（【００４８】）、「ゲート信号線（第１の走査線）１７ａをアクティブ（ＯＮ電圧を印加）とすることによりＥＬ素子１５の駆動用のトランジスタ１１ａおよびスイッチ用トランジスタ１１ｃを通して、前記ＥＬ素子１５に流すべき電流値をソースドライバ回路１４から流す。」（【００４９】）、及び「ゲート信号線１７ａを非アクティブ（ＯＦＦ電圧を印加）、ゲート信号線１７ｂをアクティブとして、電流の流れる経路を前記第１のトランジスタ１１ａ並びにＥＬ素子１５に接続されたトランジスタ１１ｄならびに前記ＥＬ素子１５を含む経路に切り替えて、記憶した電流を前記ＥＬ素子１５に流す」（【００５１】）という記載から、引用刊行物には、ＥＬ素子１５に流すべき電流値及びゲート信号線１７ａ、１７ｂからの信号の供給を受けてＥＬ表示装置のＥＬ素子１５を制御することが記載されている。
　また、引用刊行物における、「本発明は、有機または無機エレクトロルミネッセンス（ＥＬ）素子を用いたＥＬ表示パネルなどの自発光表示パネルに関するものである。また、これらの表示パネルなどの駆動回路（ＩＣ）に関するものである。ＥＬ表示パネルなどの駆動方法と駆動回路およびそれらを用いた情報表示装置などに関するものである。」（【０００１】）及び背景技術として記載された「一般に、アクティブマトリクス型表示装置では、多数の画素をマトリクス状に並べ、与えられた映像信号に応じて画素毎に光強度を制御することによって画像を表示する。たとえば、電気光学物質として液晶を用いた場合は、各画素に書き込まれる電圧に応じて画素の透過率が変化する。電気光学変換物質として有機エレクトロルミネッセンス（ＥＬ）材料を用いたアクティブマトリクス型の画像表示装置は画素に書き込まれる電流に応じて発光輝度が変化する。」（【０００２】）、並びに「このように動作させると、図５に図示するようになる。つまり、図５（ａ）の５１ａは表示画面５０における、ある時刻での電流プログラムされている画素（行）（書き込み画素行）を示している。この画素（行）５１ａは、図５（ｂ）に図示するように非点灯（非表示画素（行））とする。他の画素（行）は表示画素（行）５３とする（表示領域５３の画素１６のＥＬ素子１５には電流が流れ、ＥＬ素子１５が発光している）。」（【００５７】）という記載から、引用刊行物に記載されたＥＬ表示装置は、表示画面５０の複数の画素１６のＥＬ素子１５を制御して画像を表示するものであることがわかる。
　してみると、引用刊行物には、「ＥＬ素子１５に流すべき電流値及びゲート信号線１７ａ、１７ｂからの信号の供給を受けて画像を表示する複数の画素１６を有する表示画面５０」が記載されている。
　
エ．引用刊行物における、「ＡＩ処理回路８３６、動画検出回路８３７、カラーマネージメント回路８３８の処理結果は演算回路８３９に送られ、演算処理回路８３９で制御演算、Ｄｕｔｙ比制御、基準電流制御データに変換され、変換された結果が、ソースドライバ回路１４およびゲートドライバ回路１２に制御データとして送出される。」（【１２３５】）、「Ｄｕｔｙ比制御データはゲートドライバ回路１２ｂに送られ、Ｄｕｔｙ比制御が実施される。」（【１２３６】）、及び「Ｄｕｔｙ比制御は、全階調範囲で階調数が保持され、また、全階調範囲でホワイトバランスが維持される。また、Ｄｕｔｙ比制御により画面５０の輝度変化は１０倍近く変化させることができる。また、変化はＤｕｔｙ比に線形の関係になるから制御も容易である。」（【１２４７】）という記載より、引用刊行物には、「表示画面５０の輝度を制御する演算処理回路８３９」が記載されている。
　
オ．引用刊行物における、「先にも説明したがプログラム電流は映像データと比例の関係にある。したがって、プログラム電流の総和とはプログラム電流の総和と同義である。なお、１フレーム（１フィールド）期間のプログラム電流の総和を求めるとしたが、これに限定するものではない」（【１１７９】）、「本発明では画像データの総和あるいは画面の消費電流量を予測できる値を求め、この総和あるいは値により、Ｄｕｔｙ比制御あるいは基準電流制御を行う。」（【１２１２】）、「図１９７は横軸をデータ和／最大値としている。最大値は１である。縦軸はＤＵＴＹ比である。データ和＝最大値（データ和／最大値＝１）は、全画素行が最大の白表示状態である。データ和／最大値が小さい時は、暗い画面あるいは画像表示領域が少ない画面である。この時は、ＤＵＴＹ比を大きくしている。したがって、画像を表示している画素の輝度は高い。そのため、画像のダイナミックレンジが拡大されて高画質表示される。データ和／最大値が大きい時（最大値は１）は、明るい画面あるいは画像表示領域が広い画面である。この時は、ＤＵＴＹ比を小さくしている。したがって、画像を表示している画素の輝度は低い。そのため、低消費電力化が可能である。画面から放射される光量は大きいため、画像が暗く感じることはない。」（【１２９５】）、及び「また、メモリされた複数のＤｕｔｙカーブから１つを選択できるように構成することが好ましい。」（【１３０３】）という記載より、引用刊行物には、「１フレーム分の画像データのデータ和／最大値に対応するＤｕｔｙ比がＤｕｔｙカーブとしてメモリされる」ことが記載されている。
　
カ．引用刊行物における、「ユーザーが希望する明るさに設定する機能としても用いることができる。たとえば、屋外などでは、画面を非常に明るくする。屋外では周辺が明るく、画面が全く見えなくなるからである。つまり、屋外では、図１９７のａのカーブを選択する。」（【１３０２】）、「メモリされた複数のＤｕｔｙカーブから１つを選択できるように構成することが好ましい。」（【１３０３】）及び「たとえば、ａは屋外用のカーブである。ｃは屋内用のカーブである。ｂは屋内と屋外との中間状態用のカーブである。カーブａ、ｂ、ｃとの切り替えは、ユーザーがスイッチを操作することにより切り替えるようにする。」（【１３０５】）という記載より、引用刊行物には、「Ｄｕｔｙカーブがユーザの操作に応じて切り替えられるように複数のＤｕｔｙカーブがメモリされる」ことが記載されている。
　
　さらに、図１９７に記載されたカーブａ、ｂ、ｃの関係及び「また、表示輝度を５０％、６０％、８０％とユーザーなどが設定できるように構成しておくことが好ましい。」（【１３０３】）という記載によれば、引用刊行物において、前記複数のＤｕｔｙカーブとして、相互に所定倍率を掛けた関係のＤｕｔｙカーブを採用することが示唆されているものと認められる。
　
キ．引用刊行物には、「先にも説明したがプログラム電流は映像データと比例の関係にある。したがって、プログラム電流の総和とはプログラム電流の総和と同義である。なお、１フレーム（１フィールド）期間のプログラム電流の総和を求めるとしたが、これに限定するものではない」（【１１７９】）、「本発明では画像データの総和あるいは画面の消費電流量を予測できる値を求め、この総和あるいは値により、Ｄｕｔｙ比制御あるいは基準電流制御を行う。」（【１２１２】）、「最大値とは白ラスターの画像データの加算値としたが、これは説明を容易にするためである。最大値は画像データの加算処理あるいはＡＰＬ処理などで発生する最大値である。したがって、データ和／最大値とは、処理を行う画面の画像データの最大値に対する割合である。」（【１２９２】）、及び「データ和は表示パネルの消費電流で算定するか、輝度で算定するかはどちらでもよい。ここでは説明を容易にするため、輝度（画像データ）の加算であるとして説明をする。一般的に輝度（画像データ）の加算の方式が処理は容易である。」（【１２９４】）と記載されているところ、【１２９２】及び【１２９４】における「データ和」が、【１１７９】及び【１２１２】における「画像データの総和」と同じものであることは明らかであるから、引用刊行物には、「１フレーム分の画像データの総和を求め、該総和に基づく値であるデータ和／最大値を生成すること」が記載されている。
　
ク．引用刊行物における、「メモリされた複数のＤｕｔｙカーブから１つを選択できるように構成することが好ましい。」（【１３０３】）及び「以上のように、たとえば、ａは屋外用のカーブである。ｃは屋内用のカーブである。ｂは屋内と屋外との中間状態用のカーブである。カーブａ、ｂ、ｃとの切り替えは、ユーザーがスイッチを操作することにより切り替えるようにする。」（【１３０５】）という記載から、引用刊行物には、「ユーザの操作に対応するＤｕｔｙカーブに切り替える」点が記載されている。
　
ケ．引用刊行物における、「本発明では画像データの総和あるいは画面の消費電流量を予測できる値を求め、この総和あるいは値により、Ｄｕｔｙ比制御あるいは基準電流制御を行う。」（【１２１２】）及び「図１９７は横軸をデータ和／最大値としている。最大値は１である。縦軸はＤＵＴＹ比である。データ和＝最大値（データ和／最大値＝１）は、全画素行が最大の白表示状態である。データ和／最大値が小さい時は、暗い画面あるいは画像表示領域が少ない画面である。この時は、ＤＵＴＹ比を大きくしている。したがって、画像を表示している画素の輝度は高い。そのため、画像のダイナミックレンジが拡大されて高画質表示される。データ和／最大値が大きい時（最大値は１）は、明るい画面あるいは画像表示領域が広い画面である。この時は、ＤＵＴＹ比を小さくしている。したがって、画像を表示している画素の輝度は低い。そのため、低消費電力化が可能である。画面から放射される光量は大きいため、画像が暗く感じることはない。」（【１２９５】）、並びに「以上の切り替え動作は、携帯電話、モニターなどの電源をオンしたときに、表示画面を非常に明るく表示し、一定の時間を経過した後は、電力セーブするために、表示輝度を低下させる構成に用いる。また、ユーザーが希望する明るさに設定する機能としても用いることができる。たとえば、屋外などでは、画面を非常に明るくする。屋外では周辺が明るく、画面が全く見えなくなるからである。つまり、屋外では、図１９７のａのカーブを選択する。しかし、高い輝度で表示し続けるとＥＬ素子は急激に劣化する。そのため、非常に明るくする場合は、短時間で通常の輝度に復帰させるように構成しておく。たとえば、通常では、ｃのカーブを選択する。また、さらに、高輝度で表示させる場合は、ユーザーがボタンと押すことにより表示輝度を高くできるようの構成しておく。」（【１３０２】）、「したがって、ユーザーがボタンで切り替えできるようにしておくか、設定モードで自動的に変更できるか、外光の明るさを検出して自動的に切り替えできるように構成しておくことが好ましい。また、表示輝度を５０％、６０％、８０％とユーザーなどが設定できるように構成しておくことが好ましい。また、外部のマイコンなどにより、Ｄｕｔｙ比カーブ、傾きなどを書き換えるように構成することが好ましい。また、メモリされた複数のＤｕｔｙカーブから１つを選択できるように構成することが好ましい。」（【１３０３】）、及び「以上のように、たとえば、ａは屋外用のカーブである。ｃは屋内用のカーブである。ｂは屋内と屋外との中間状態用のカーブである。カーブａ、ｂ、ｃとの切り替えは、ユーザーがスイッチを操作することにより切り替えるようにする。」（【１３０５】）という記載から、引用刊行物には、「ユーザの操作に対応するＤｕｔｙカーブに基づいて、データ和／最大値に対応するＤｕｔｙ比を求める」点が記載されている。
　
コ．引用刊行物における、「ＡＩ処理回路８３６、動画検出回路８３７、カラーマネージメント回路８３８の処理結果は演算回路８３９に送られ、演算処理回路８３９で制御演算、Ｄｕｔｙ比制御、基準電流制御データに変換され、変換された結果が、ソースドライバ回路１４およびゲートドライバ回路１２に制御データとして送出される。」（【１２３５】）という記載より、引用刊行物の「演算処理回路８３９」は、「Ｄｕｔｙ比制御のデータを制御データとしてゲートドライバ回路１２に送出する」機能を有する。
　
サ．引用刊行物における「ゲート信号線１７ｂの制御で自由にＤｕｔｙ比を変更できる。」（【１１５７】）及び「Ｄｕｔｙ比制御データはゲートドライバ回路１２ｂに送られ、Ｄｕｔｙ比制御が実施される。」（【１２３６】）という記載より、引用刊行物には、「前記ゲートドライバ回路１２は、前記Ｄｕｔｙ比制御データに基づいてＤｕｔｙ比制御を実施する」ことが記載されている。
　
シ．引用刊行物における「有機または無機エレクトロルミネッセンス（ＥＬ）素子を用いたＥＬ表示パネル」（【０００１】）及び「本発明のＥＬ表示装置の画素構造は、具体的には図１に示すように単位画素が最低４つからなる複数のトランジスタ１１ならびにＥＬ素子により形成される。」（【００４８】）という記載から、引用刊行物に記載された発明は、「有機ＥＬ表示装置」に関するものである。
　
４−３　引用発明
　以上の検討事項ア．ないしシ．から、引用刊行物には以下の発明が記載されていると認める。
　
「ソース信号線１８に、ＥＬ素子１５に流すべき、画像データに対応する電流値を流すソースドライバ回路１４と、
　第１の走査線であるゲート信号線１７ａにＯＮ電圧及びＯＦＦ電圧を順次印加するとともに、所定期間におけるＥＬ素子１５の点灯期間であるＤｕｔｙ比を制御するオンオフ信号を、ゲート信号線１７ｂに順次印加するゲートドライバ回路１２と、
　ＥＬ素子１５に流すべき電流値及びゲート信号線１７ａ、１７ｂからの信号の供給を受けて画像を表示する複数の画素１６を有する表示画面５０と、
　表示画面５０の輝度を制御する演算処理回路８３９と、
を備え、
　１フレーム分の画像データのデータ和／最大値に対応するＤｕｔｙ比がＤｕｔｙカーブとしてメモリされ、
　前記Ｄｕｔｙカーブがユーザの操作に応じて切り替えられるように複数のＤｕｔｙカーブがメモリされ、
　１フレーム分の画像データの総和を求め、該総和に基づく値であるデータ和／最大値を生成し、
　ユーザの操作に対応するＤｕｔｙカーブに切り替え、
　ユーザの操作に対応するＤｕｔｙカーブに基づいて、データ和／最大値に対応するＤｕｔｙ比を求め、
　前記演算処理回路８３９は、Ｄｕｔｙ比制御のデータを制御データとしてゲートドライバ回路１２に送出して、
　前記ゲートドライバ回路１２は、前記Ｄｕｔｙ比制御データに基づいてＤｕｔｙ比制御を実施する有機ＥＬ表示装置。」（以下、「引用発明」という。）
　
　
５　対比
５−１　本願発明と引用発明とを対比する。
　
（１）引用発明における「ソース信号線１８に、ＥＬ素子１５に流すべき、画像データに対応する電流値を流すソースドライバ回路１４」と、本願発明における「データ線に映像データに対応するデータ信号を供給するデータ駆動部」とを比較する。
　引用発明における「ソース信号線１８」、「ＥＬ素子１５に流すべき、画像データに対応する電流値」、「流す」及び「ソースドライバ回路１４」が、本願発明における「データ線」、「映像データに対応するデータ信号」、「供給する」及び「データ駆動部」にそれぞれ相当するから、引用発明における「ソース信号線１８に、ＥＬ素子１５に流すべき、画像データに対応する電流値を流すソースドライバ回路１４」は、本願発明における「データ線に映像データに対応するデータ信号を供給するデータ駆動部」に相当する。
　
（２）引用発明における「第１の走査線であるゲート信号線１７ａにＯＮ電圧及びＯＦＦ電圧を順次印加するとともに、所定期間におけるＥＬ素子１５の点灯期間であるＤｕｔｙ比を制御するオンオフ信号を、ゲート信号線１７ｂに順次印加するゲートドライバ回路１２」と、本願発明における「走査線に走査信号を順次供給し，発光制御線に発光制御信号を順次供給する走査駆動部」とを比較する。
　引用発明における「第１の走査線であるゲート信号線１７ａ」及び「ゲート信号線１７ｂ」が、本願発明における「走査線」及び「発光制御線」にそれぞれ相当するとともに、引用発明において「第１の走査線であるゲート信号線１７ａ」及び「ゲート信号線１７ｂ」にそれぞれ印加される「ＯＮ電圧及びＯＦＦ電圧」及び「所定期間におけるＥＬ素子１５の点灯期間であるＤｕｔｙ比を制御するオンオフ信号」が、本願発明における「走査信号」及び「発光制御信号」にそれぞれ相当する。
　また、引用発明における「印加する」は、本願発明における「供給する」に相当する。
　してみると、引用発明における「第１の走査線であるゲート信号線１７ａにＯＮ電圧及びＯＦＦ電圧を順次印加するとともに、所定期間におけるＥＬ素子１５の点灯期間であるＤｕｔｙ比を制御するオンオフ信号を、ゲート信号線１７ｂに順次印加するゲートドライバ回路１２」は、本願発明における「走査線に走査信号を順次供給し，発光制御線に発光制御信号を順次供給する走査駆動部」に相当する。
　
（３）引用発明における「ＥＬ素子１５に流すべき電流値及びゲート信号線１７ａ、１７ｂからの信号の供給を受けて画像を表示する複数の画素１６を有する表示画面５０」と、本願発明における「前記データ信号，前記走査信号及び前記発光制御信号の供給を受けて映像を表現する複数の画素を具備する画素部」とを比較する。
　上記（１）、（２）で検討したとおり、引用発明の「ＥＬ素子１５に流すべき電流値」が本願発明の「データ信号」に相当し、「ゲート信号線１７ａ、１７ｂからの信号」が「走査信号」及び「発光制御信号」に相当する。
　また、引用発明における「画像を表示する」、「画素１６」及び「表示画面５０」が、本願発明における「映像を表現する」、「画素」及び「画素部」に、それぞれ相当するから、「ＥＬ素子１５に流すべき電流値及びゲート信号線１７ａ、１７ｂからの信号の供給を受けて画像を表示する複数の画素１６を有する表示画面５０」は、本願発明における「前記データ信号，前記走査信号及び前記発光制御信号の供給を受けて映像を表現する複数の画素を具備する画素部」に相当する。
　
（４）引用発明における「表示画面５０の輝度を制御する演算処理回路８３９」は、本願発明における「前記画素部の輝度を制御する輝度制御部」に相当する。
　
（５）引用発明において「１フレーム分の画像データのデータ和／最大値に対応するＤｕｔｙ比がＤｕｔｙカーブとしてメモリされ」ることと、本願発明において「一フレーム分の前記映像データに対応する前記発光制御信号の幅情報を持つ少なくとも一つの第１データが保存される第１ルックアップテーブル」を有することとを比較する。
　引用発明における「１フレーム分の画像データのデータ和／最大値」は「１フレーム分の画像データ」に対応する値であって、これが本願発明における「一フレーム分の前記映像データ」に対応する値であることは明らかであるから、引用発明における「１フレーム分の画像データのデータ和／最大値に対応する」は、本願発明における「一フレーム分の前記映像データに対応する」に相当する。
　また、引用発明における「Ｄｕｔｙ比」は、「所定期間におけるＥＬ素子１５の点灯期間」であるから、本願発明における「発光制御信号の幅情報を持つ第１データ」に相当し、さらに、引用発明における「メモリされ」は、本願発明における「保存され」に相当する。
　したがって、引用発明において「１フレーム分の画像データのデータ和／最大値に対応するＤｕｔｙ比がＤｕｔｙカーブとしてメモリされ」ることと、本願発明において「一フレーム分の前記映像データに対応する前記発光制御信号の幅情報を持つ少なくとも一つの第１データが保存される第１ルックアップテーブル」を有することとは、「一フレーム分の前記映像データに対応する前記発光制御信号の幅情報を持つ少なくとも一つの第１データが保存され」る点で共通する。
　
（６）引用発明において「前記Ｄｕｔｙカーブがユーザの操作に応じて切り替えられるように複数のＤｕｔｙカーブがメモリされ」ることと、本願発明において「前記発光制御信号の幅情報が外部入力モードによって変更されるようにする少なくとも一つの第２データが保存される第２ルックアップテーブル」を有することとを比較する。
　引用発明において、「Ｄｕｔｙカーブ」が「切り替えられる」ことは、つまり、「１フレーム分の画像データのデータ和／最大値に対応するＤｕｔｙ比」が変更されることであるから、本願発明において、「（一フレーム分の映像データに対応する）発光制御信号の幅情報」が「変更される」ことに相当する。
　また、引用発明における「ユーザの操作」は、本願発明における「外部入力モード」に相当する。
　してみると、引用発明において「前記Ｄｕｔｙカーブがユーザの操作に応じて切り替えられるように複数のＤｕｔｙカーブがメモリされ」ることと、本願発明において「前記発光制御信号の幅情報が外部入力モードによって変更されるようにする少なくとも一つの第２データが保存される第２ルックアップテーブル」を有することとは、「発光制御信号の幅情報が外部入力モードによって変更される」ように構成されている点で共通する。
　
（７）引用発明において「１フレーム分の画像データの総和を求め、該総和に基づく値であるデータ和／最大値を生成する」ことと、本願発明において「前記一フレーム分の映像データを合算して合算データを生成し，前記合算データの最上位ビットを含む少なくとも二つのビット値を制御データとして生成するデータ合算部」を有することとを比較する。
　引用発明において「１フレーム分の画像データの総和を求め」ることは、本願発明において「一フレーム分の映像データを合算して合算データを生成」することに相当する。
　また、引用発明における「データ和／最大値」と、本願発明における「前記合算データの最上位ビットを含む少なくとも二つのビット値」とは、どちらも、「前記総和」又は「前記合算データ」に「基づく値」である点で共通する。
　さらに、引用発明において、「１フレーム分の画像データの総和を求め」また「データ和／最大値」を生成する処理を行う「処理部」に相当する構成を有することは自明な事項である。
　してみると、引用発明において「１フレーム分の画像データの総和を求め、該総和に基づく値であるデータ和／最大値を生成する」ことと、本願発明において「前記一フレーム分の映像データを合算して合算データを生成し，前記合算データの最上位ビットを含む少なくとも二つのビット値を制御データとして生成するデータ合算部」を有することとは、「一フレーム分の映像データを合算して合算データを生成し、前記合算データに基づく値を生成する処理を行う処理部」を有する点で共通する。
　
（８）引用発明において「ユーザの操作に対応するＤｕｔｙカーブに切り替え」ることと、本願発明において「前記第２ルックアップテーブルから前記外部入力モードに対応する前記第２データを抽出するモード選択部」を有することとを比較する。
　引用発明における「ユーザの操作」は、本願発明における「外部入力モード」に相当する。
　また、引用発明において、ユーザの操作に対応する切り替えの処理を行うための処理手段を有することは自明な事項であり、そのような処理手段が、本願発明における「モード選択部」に対応する。
　してみると、引用発明において「ユーザの操作に対応するＤｕｔｙカーブに切り替え」ることと、本願発明において「前記第２ルックアップテーブルから前記外部入力モードに対応する前記第２データを抽出するモード選択部」を有することとは、「外部入力モードに対応するための処理を行うモード選択部」を有する点で共通する。
　
（９）引用発明において「ユーザの操作に対応するＤｕｔｙカーブに基づいて、データ和／最大値に対応するＤｕｔｙ比を求め」ることと、本願発明において「前記第１ルックアップテーブルから前記制御データの値に対応する前記第１データを抽出し，前記抽出された第１データ及び第２データを利用して前記発光制御信号の幅情報を持つ第３データを生成する制御部」を有することとを比較する。
　本願発明において、「第１データ」を利用すること及び「第２データ」を利用することは、それぞれ、「（一フレーム分の映像データを合算した）合算データ」に基づく値に対応する発光制御信号の幅情報を求めること及び「外部入力モード」に対応して発光制御信号の幅情報を変更することを意味する。そして、上記（５）ないし（８）で検討した事項と併せて検討すると、引用発明における「データ和／最大値」に対応するＤｕｔｙ比を求めること及び「ユーザの操作」に対応するＤｕｔｙカーブに基づくことと、本願発明における「第１データ」を利用すること及び「第２データ」を利用することとは、それぞれ、「（一フレーム分の映像データを合算した）合算データに基づく値」に対応する発光制御信号の幅情報を求めること及び「外部入力モード」に対応して発光制御信号の幅情報を変更することである点で共通する。
　また、引用発明において、「ユーザの操作に対応するＤｕｔｙカーブに基づいて、データ和／最大値に対応する」ように求められた「Ｄｕｔｙ比」は、本願発明における、第１データ及び第２データを利用して生成された「発光制御信号の幅情報を持つ第３データ」に相当する。
　さらに、引用発明において、前記「Ｄｕｔｙ比」を求めるための手段を有することは自明な事項であり、そのような手段が、本願発明における「制御部」に対応する。
　してみると、引用発明において「ユーザの操作に対応するＤｕｔｙカーブに基づいて、データ和／最大値に対応するＤｕｔｙ比を求め」ることと、本願発明において「前記第１ルックアップテーブルから前記制御データの値に対応する前記第１データを抽出し，前記抽出された第１データ及び第２データを利用して前記発光制御信号の幅情報を持つ第３データを生成する制御部」を有することとは、「一フレーム分の映像データを合算した合算データに基づく値と外部入力モードとに対応する発光制御信号の幅情報を持つ第３データを生成する制御部」を有する点で共通する。
　
（１０）引用発明において「前記演算処理回路８３９は、Ｄｕｔｙ比制御のデータを制御データとしてゲートドライバ回路１２に送出」することと、本願発明における「前記第３データに対応する輝度制御信号を生成して前記走査駆動部に伝送する輝度制御信号生成部」を有することとを比較する。
　引用発明における「Ｄｕｔｙ比制御のデータ」、「ゲートドライバ回路１２」及び「送出」は、本願発明における「前記第３データに対応する輝度制御信号」、「走査駆動部」「伝送」にそれぞれ相当する。
　また、引用発明において、「Ｄｕｔｙ比制御のデータを制御データとして生成して送出」するための手段を有することは自明な事項であり、そのような手段が、本願発明における「輝度制御信号生成部」に対応する。
　してみると、引用発明において「前記演算処理回路８３９は、Ｄｕｔｙ比制御のデータを制御データとしてゲートドライバ回路１２に送出」することは、本願発明における「前記第３データに対応する輝度制御信号を生成して前記走査駆動部に伝送する輝度制御信号生成部」を有することに相当する。
　
（１１）引用発明における「前記ゲートドライバ回路１２は、前記Ｄｕｔｙ比制御データに基づいてＤｕｔｙ比制御を実施する」と、本願発明における「前記走査駆動部は，前記輝度制御信号に対応して前記発光制御信号の幅を制御する」とを比較し、上記（２）で検討した事項と併せて検討する。
　引用発明において、「Ｄｕｔｙ比制御を実施する」ことは、「Ｄｕｔｙ比制御データ」に対応してゲート信号線１７ｂに印加される「オンオフ信号」の幅を制御することに他ならない。
　そして、上記（２）で検討したとおり、引用発明における「ゲートドライバ回路１２」、「Ｄｕｔｙ比制御データ」及び「オンオフ信号」が、本願発明における「走査駆動部」、「輝度制御信号」、及び「発光制御信号」にそれぞれ相当する。
　してみると、引用発明における「前記ゲートドライバ回路１２は、前記Ｄｕｔｙ比制御データに基づいてＤｕｔｙ比制御を実施する」は、本願発明における「前記走査駆動部は，前記輝度制御信号に対応して前記発光制御信号の幅を制御する」に相当する。
　
（１２）引用発明における「有機ＥＬ表示装置」は、本願発明における「有機発光表示装置」に相当する。
　
５−２　一致点・相違点
　以上のことから、本願発明と引用発明は、
「データ線に映像データに対応するデータ信号を供給するデータ駆動部と；
　走査線に走査信号を順次供給し，発光制御線に発光制御信号を順次供給する走査駆動部と；
　前記データ信号，前記走査信号及び前記発光制御信号の供給を受けて映像を表現する複数の画素を具備する画素部と；
　前記画素部の輝度を制御する輝度制御部と；
を備える有機発光表示装置であって、
　該有機発光表示装置は、
　一フレーム分の前記映像データに対応する前記発光制御信号の幅情報を持つ少なくとも一つの第１データが保存され；
　発光制御信号の幅情報が外部入力モードによって変更されるように構成され；
　また、前記有機発光表示装置は、
　一フレーム分の映像データを合算して合算データを生成し、前記合算データに基づく値を生成する処理を行う処理部と；
　一フレーム分の映像データを合算した合算データに基づく値及び外部入力モードに対応する発光制御信号の幅情報を持つ第３データを生成する制御部と；
をさらに有し、
　前記輝度制御部は、
　前記第３データに対応する輝度制御信号を生成して前記走査駆動部に伝送する輝度制御信号生成部；
を有し、
　前記走査駆動部は，前記輝度制御信号に対応して前記発光制御信号の幅を制御する有機発光表示装置。」（以下、「一致点」という。）
で一致し、以下の点で相違する。
　
相違点１：
　一フレーム分の前記映像データに対応する前記発光制御信号の幅情報を持つ少なくとも一つの第１データ（Ｄｕｔｙ比）の保存に関して、本願発明においては、「第１データ」が、ルックアップテーブルの形式で「第１のルックアップテーブル」として保存されるのに対して、引用発明においては、「Ｄｕｔｙ比」が「Ｄｕｔｙカーブとして」メモリされているものの、該Ｄｕｔｙカーブが、どのような形式で保存されるのかが特定されていない点で相違している。
　
相違点２：
　両者は、発光制御信号の幅情報を外部入力モード（ユーザの操作）によって変更するための構成において相違している。
　すなわち、発光制御信号の幅情報を外部入力モードによって変更するための構成として、本願発明においては、「少なくとも一つの第２データが保存される第２ルックアップテーブル」を有しており、さらに、該第２データは、「前記外部入力モードに対応する前記発光制御信号の幅情報の変動値を持」っているのに対して、引用発明においては、「複数のＤｕｔｙカーブがメモリされ」ている点で相違し、また、「外部入力モードに対応するための処理を行うモード選択部」における処理及び「一フレーム分の映像データを合算した合算データに基づく値及び外部入力モードに対応する発光制御信号の幅情報を持つ第３データを生成する制御部」における第３データの生成の仕方に関して、本願発明においては、モード選択部において「外部入力モードに対応する第２データを抽出」し、制御部において、「合算データに基づく値」である制御データに対応する「第１データを抽出」し、「前記第１データから前記第２データを減算して」第３データを生成するのに対して、引用発明においては、「ユーザの操作に対応するＤｕｔｙカーブに切り替えて」、「ユーザの操作に対応するＤｕｔｙカーブに基づいて、データ和／最大値に対応するＤｕｔｙ比を求め」て第３データを生成する点で相違する。
　
相違点３：
　合算データ（総和）に基づく値に関して、本願発明においては「合算データの最上位ビットを含む少なくとも二つのビット値」であるのに対して、引用発明においては「データ和／最大値」である点で相違している。
　
相違点４：
　本願発明及び引用発明は、どちらも、「一フレーム分の前記映像データに対応する前記発光制御信号の幅情報を持つ少なくとも一つの第１データが保存」され、「発光制御信号の幅情報が外部入力モードによって変更されるように構成」されており、さらに「一フレーム分の映像データを合算して合算データを生成し、前記合算データに基づく値を生成する処理を行う処理部」及び「一フレーム分の映像データを合算した合算データに基づく値及び外部入力モードに対応する発光制御信号の幅情報を持つ第３データを生成する制御部」を備えている点で共通しているが、これらの構成要件に関して、本願発明においては、「輝度制御部」がこれらの構成要件を有するとしているのに対して、引用発明においては、これらの構成要件をどこに備えているかについて具体的に特定されていない点で相違する。
　
　
６　当審の判断
　上記相違点について検討する。
　
（１）相違点１について検討する。
　表示装置の分野において、発光時間（デューティ比）を得るためのカーブを「ルックアップテーブル」の形式で記憶することは、慣用的な技術（例えば、当審拒絶理由で引用した特開２００３−２２８３３１号公報の第００２６段落及び図４を参照。）である。
　したがって、引用発明において、前記「Ｄｕｔｙカーブ」をメモリするにあたり、前記慣用的な技術を採用して、ルックアップテーブルの形式でメモリして、「第１ルックアップテーブル」を有するようにすることは、当業者が適宜なし得た事項である。
　
（２）相違点２ついて検討する。
　ルックアップテーブルのような対応付けのためのデータ（以下、「ＬＵＴ等」という。）を用いた制御を行う技術分野において、複数のＬＵＴ等を記憶することに代えて、基準となる「第１データ」が保存される第１のＬＵＴ等と、該「第１データ」を変更するための「第２データが保存される第２ルックアップテーブル」とを有し、抽出された「第１データ」と「第２データ」を利用して「第３データ」を生成する構成を採用して、メモリ量の増大を抑えることは、本願の優先日前において周知の技術事項（例えば、当審拒絶理由で引用した国際公開第２００５／０２７０８８号（特に、第２ページ第２５行〜第３ページ第２５行、第６ページ第３１行〜第８ページ第５行、FIG.4A、FIG.4Bを参照。）や、同じく当審拒絶理由で引用した特開平８−３００７１２号公報（特に、【０００７】、【００１５】、【００１８】〜【００２０】を参照。）を参照。以下、「周知技術１」という。）である。
　
　そして、引用発明における、発光制御信号の幅情報を外部入力モードによって変更するための構成において、前記周知技術１を適用して、「複数のＤｕｔｙカーブがメモリされ」ることに代えて、基準となる１つのＤｕｔｙカーブ（ＬＵＴ等）と、該ＬＵＴ等から得られる値（第１データ）を変更するための「少なくとも一つの第２データが保存される第２ルックアップテーブル」とを有するように構成することは、当業者であれば容易に想到し得たことである。
　この点、引用刊行物において、前記複数のＤｕｔｙカーブとして相互に所定倍率を掛けた関係のものを採用することが示唆（上記「４−２　引用刊行物の記載事項の検討」の「カ．」を参照。）されていることから、当業者が前記周知技術１の適用を容易に想起し得たものといえる。
　
　また、前記周知技術１の例として示した文献である国際公開第２００５／０２７０８８号においては、所定の係数の乗算を行うことが、同じく特開平８−３００７１２号公報においては、所定の値を加算することが開示されているから、前記第１データを変更するための処理として、第１データに対する所定の倍率として第２データを乗算することも、第１データの所定の変動値として第２データを加算することも、どちらも周知の技術事項であると認められる。
　してみると、上記のとおり、引用発明において、「複数のＤｕｔｙカーブがメモリされ」ることに代えて、基準となる１つのＤｕｔｙカーブと、そこから得られる第１データを変更するための少なくとも一つの第２データが保存される第２ルックアップテーブルとを有するように構成するに際して、第１データを変更するための前記第２データとして、第１データに対する所定の倍率として乗算される第２データを採用するか、第１データの所定の変動値として加算される第２データを採用するかは、当業者が適宜選択し得ることであると認められるから、後者を採用して本願発明のようになすことは、当業者が適宜なし得たことである。
　さらに、「幅情報の変動値」によって第１データを変更するにあたり、加算するか減算するかは、基準となる第１のＬＵＴ等の選び方や第２データの符号に応じて適宜選択されることであり、本願発明において減算するとしたことによって格別の効果があるとも認められないから、この点も、当業者が適宜選択し得ることである。
　
（３）相違点３について検討する。
　画像データの総和に基づく値として、画像データの総和に対してビットシフト演算で除算を行うことは、本件出願の優先日前において周知の技術事項（例えば、当審拒絶理由で引用した特開２００３−２５５８８４号公報の第０２４９段落を参照。）である。
　ここで、前記ビットシフト演算で除算を行うことが、最上位ビットを含む上位のビット値を抽出することと実質的に同じ意味であることは、当業者にとって自明な事項である。
　そして、引用発明において、「データ和／最大値」は、「画面の消費電流量を予測」するための値の一例であって、「データ和」がどの程度の大きさであるのかがわかればよいのであるから、固定値としての「最大値」で除することに特段の技術的意義があるものではない。（引用刊行物の【１２１２】、【１２９２】〜【１２９４】等を参照。）
　してみると、「データ和（画像データの総和）」に対して「最大値」で除算を行うことに代えて、前記周知の技術事項である、画像データの総和に対してビットシフト演算で除算を行うことを採用して、「画像データの総和（本願発明における「合算データ」に相当する。）の最上位ビットを含む少なくとも二つのビット値」を求めるようにすることは、当業者が適宜なし得た設計的な事項である。
　
（４）相違点４について検討する。
　前記相違点４に挙げた各構成要件は、表示装置を構成するいずれかの電子回路部が備えるべきものであるから、引用発明の演算処理回路８３９（本願発明における「輝度制御部」に相当する。）が、前記各構成要件を備えるようにすることは、当業者が適宜なし得た設計的事項であると認められる。
　
　そして、本願発明の奏する作用効果は、引用発明と周知の技術事項とに基づいて当業者が予測し得る程度のものである。
　したがって、本願発明は、引用発明と周知技術とに基づいて当業者が容易に発明をすることができたものである。
　
７　むすび
　以上のとおり、本願発明は、引用発明と周知技術とに基づいて、当業者が容易に発明をするとができたものであるから、特許法第２９条第２項の規定により特許を受けることができない。
　したがって、他の請求項に係る発明について審理するまでもなく、本願は拒絶すべきものである。
　よって、結論のとおり審決する。